(57)【要約】【課題】教育コンテンツを通常の予約検査と同じ感覚で簡便に選択開始することができる医用画像診断装置を提供する。【解決手段】医用画像診断装置４において、検査予約を示す検査予約情報がリスト化された検査予約リスト情報に対し、検査教育に関する教育単元の予約を示す教育予約情報を検査予約情報として登録する登録部４ｂと、教育予約情報が検査予約情報として登録された検査予約リスト情報を表示する表示部４ｈと、表示された検査予約リスト情報から検査予約情報を選択し、選択した検査予約情報に対応する検査を開始するための入力部４ａと、検査の開始に応じて、選択された検査予約情報が教育予約情報である場合に動作モードを教育モードに切り替え、選択された検査予約情報が教育予約情報でない場合に動作モードを通常検査モードに切り替える切替部４ｅとを備える。【選択図】図１
2009129349.tif 000002
【特許請求の範囲】
【請求項１】
検査予約を示す検査予約情報がリスト化された検査予約リスト情報に対し、検査教育に関する教育単元の予約を示す教育予約情報を前記検査予約情報として登録する登録部と、
前記教育予約情報が前記検査予約情報として登録された前記検査予約リスト情報を表示する表示部と、
表示された前記検査予約リスト情報から前記検査予約情報を選択し、選択した前記検査予約情報に対応する検査を開始するための入力部と、
前記検査の開始に応じて、選択された前記検査予約情報が前記教育予約情報である場合に動作モードを教育モードに切り替え、選択された前記検査予約情報が前記教育予約情報でない場合に動作モードを通常検査モードに切り替える切替部と、
を備えることを特徴とする医用画像診断装置。
【請求項２】
前記教育予約情報が前記検査予約情報として登録された前記検査予約リスト情報を保管する第１保管部を備えることを特徴とする請求項１記載の医用画像診断装置。
【請求項３】
前記検査予約リスト情報に前記検査予約情報として登録された前記教育予約情報に対応する前記教育単元を保管する第２保管部を備えることを特徴とする請求項１又は２記載の医用画像診断装置。
【請求項４】
前記登録部は、登録した前記教育予約情報を前記検査予約情報として外部装置に送信することを特徴とする請求項１、２又は３記載の医用画像診断装置。
【請求項５】
検査予約を示す検査予約情報がリスト化された検査予約リスト情報に対し、検査教育に関する教育単元の予約を示す教育予約情報を前記検査予約情報として登録する登録部と、
前記教育予約情報が前記検査予約情報として登録された前記検査予約リスト情報を表示する表示部と、
表示された前記検査予約リスト情報から前記検査予約情報を選択し、選択した前記検査予約情報に対応する検査を開始するための入力部と、
前記検査の開始に応じて、選択された前記検査予約情報が前記教育予約情報である場合に動作モードを教育モードに切り替え、選択された前記検査予約情報が前記教育予約情報でない場合に動作モードを通常検査モードに切り替える切替部と、
を備えることを特徴とする医用教育シミュレーション装置。
【請求項６】
前記教育予約情報が前記検査予約情報として登録された前記検査予約リスト情報を保管する第１保管部を備えることを特徴とする請求項５記載の医用教育シミュレーション装置。
【請求項７】
前記検査予約リスト情報に前記検査予約情報として登録された前記教育予約情報に対応する前記教育単元を保管する第２保管部を備えることを特徴とする請求項５又は６記載の医用教育シミュレーション装置。
【請求項８】
前記登録部は、登録した前記教育予約情報を前記検査予約情報として外部装置に送信することを特徴とする請求項５、６又は７記載の医用教育シミュレーション装置。
【発明の詳細な説明】
【技術分野】
【０００１】
本発明は、医用画像診断装置及び医用教育シミュレーション装置に関する。
【背景技術】
【０００２】
医用画像診断装置は、医用画像を撮影して診断に用いるための装置である。この医用画像診断装置としては、例えば被検体にＸ線を照射し、そのＸ線が被検査体内における臓器や骨等に吸収されることを利用して画像化を行うＸ線撮影装置、Ｘ線撮影装置と同様の原理を利用しつつ被検体に対して多方向からＸ線を照射した結果得られる投影データを収集及び再構成し、被検体の断層画像を取得するＸ線ＣＴ装置、及び被検体内にＭＲ（磁気共鳴）現象を起こし、このＭＲ現象を用いることで被検体の断層画像を取得する磁気共鳴映像装置（ＭＲＩ装置）等が挙げられる。これらの装置は一般にマルチモダリティと総称されている。
【０００３】
このような種々の医用画像診断装置を利用する際には、次のような技術がユーザに求められる。例えば、Ｘ線撮影装置を利用する際に求められる技術は、Ｘ線撮像条件等のパラメータを最適に設定する技術である。このパラメータの最適設定を行った上で撮影を行わなければ、明暗等の状況が良好な撮影画像を得ることができない。このようなパラメータの最適設定には、ある程度の熟練が必要とされている。
【０００４】
このため、ユーザの撮影技術や操作技術等を向上させるために、教育的支援機能が開発されている（例えば、特許文献１及び特許文献２参照）。なお、教育支援機能としては、例えば、ワークフローに従った次操作手順をインタラクティブに示したり、撮像行為等の各種操作結果をダミーデータでシミュレートしたりする機能も挙げられる。このような教育的支援機能を有する医用画像診断装置では、動作モードを通常モードから教育モードに切り替える必要がある。この場合には、動作モードは操作者（オペレータ）の入力操作（例えばヘルプボタンの押下によるバルーンヘルプ表示等）により切り替えられる。例えば、操作者が教育コンテンツ（教育単元）を受講する場合には、動作モードを教育モードに切り替える入力操作を行い、さらに、教育を開始する入力操作を行う必要がある。
【特許文献１】特開２００２−３０６４５１号公報
【特許文献２】特開２００３−３１０５９２号公報
【発明の開示】
【発明が解決しようとする課題】
【０００５】
しかしながら、前述のように動作モードを教育モードに切り替える入力操作を行い、さらに、教育を開始する入力操作を行う場合には、操作者は教育コンテンツを通常の予約検査と同じ感覚で選択開始することができないため、操作者の利便性は低下してしまう。
【０００６】
本発明は上記に鑑みてなされたものであり、その目的は、教育コンテンツを通常の予約検査と同じ感覚で簡便に選択開始することができる医用画像診断装置及び医用教育シミュレーション装置を提供することである。
【課題を解決するための手段】
【０００７】
本発明の実施の形態に係る第１の特徴は、医用画像診断装置において、検査予約を示す検査予約情報がリスト化された検査予約リスト情報に対し、検査教育に関する教育単元の予約を示す教育予約情報を検査予約情報として登録する登録部と、教育予約情報が検査予約情報として登録された検査予約リスト情報を表示する表示部と、表示された検査予約リスト情報から検査予約情報を選択し、選択した検査予約情報に対応する検査を開始するための入力部と、検査の開始に応じて、選択された検査予約情報が教育予約情報である場合に動作モードを教育モードに切り替え、選択された検査予約情報が教育予約情報でない場合に動作モードを通常検査モードに切り替える切替部とを備えることである。
【０００８】
本発明の実施の形態に係る第２の特徴は、医用教育シミュレーション装置において、検査予約を示す検査予約情報がリスト化された検査予約リスト情報に対し、検査教育に関する教育単元の予約を示す教育予約情報を検査予約情報として登録する登録部と、教育予約情報が検査予約情報として登録された検査予約リスト情報を表示する表示部と、表示された検査予約リスト情報から検査予約情報を選択し、選択した検査予約情報に対応する検査を開始するための入力部と、検査の開始に応じて、選択された検査予約情報が教育予約情報である場合に動作モードを教育モードに切り替え、選択された検査予約情報が教育予約情報でない場合に動作モードを通常検査モードに切り替える切替部とを備えることである。
【発明の効果】
【０００９】
本発明によれば、教育コンテンツを通常の予約検査と同じ感覚で簡便に選択開始することができる医用画像診断装置及び医用教育シミュレーション装置を提供することができる。
【発明を実施するための最良の形態】
【００１０】
本発明の実施の一形態について図面を参照して説明する。
【００１１】
図１に示すように、本発明の実施の形態に係る医用教育システム１は、教育コンテンツを管理する教育コンテンツ管理サーバ２と、診療情報等の各種情報を管理する情報管理システム３と、医用画像を用いた診断を行うための医用画像診断装置４とを備えている。これらの各部はＬＡＮ（Local Area Network）等のネットワーク５により通信可能に接続されている。
【００１２】
教育コンテンツ管理サーバ２は、教育内容としての教育コンテンツ（教育単元）を主として管理する教育コンテンツ管理部２ａと、教育コンテンツの受講履歴を記録する教育記録管理部２ｂとを備えている。教育コンテンツ管理部２ａは、受講者毎に受講する必要がある教育コンテンツをリスト化し、教育コンテンツリストとして管理する。さらに、教育コンテンツ管理部２ａは各種の教育コンテンツを格納しており、教育コンテンツリストに基づいて受講者に応じた教育コンテンツを出力する。教育記録管理部２ｂは、受講者が受講した教育コンテンツの受講開始及び受講終了を教育コンテンツリストに登録する。なお、教育コンテンツは、教育コンテンツ管理サーバ２に対する医用画像診断装置４のアクセスが認証により許諾されると、教育コンテンツ管理部２ａにより医用画像診断装置４に送信される。
【００１３】
情報管理システム３は、例えばＨＩＳ（病院情報システム）やＲＩＳ（放射線情報システム）等のシステムである。この情報管理システム３は、病院内又は放射線科内の各種情報の管理を行う。例えば、病院内又は放射線科内での当日検査受付や予約検査受付の管理、及び、それらの検査受付情報に基づく医用画像診断装置４での検査実施日時や患者情報等の検査予約リストの管理を行う。この検査予約リストは情報管理システム３で管理されると共に、所望のタイミングで（例えば新規の検査予約が検査予約リストに登録された場合等に）医用画像診断装置４に送信される。
【００１４】
医用画像診断装置４は、操作者（オペレータ）からの入力操作を受け付ける入力部４ａと、各種登録を行う登録部４ｂと、検査予約リストを保管する第１保管部として機能する検査予約データベース（検査予約ＤＢ）４ｃと、教育コンテンツを保管する第２保管部として機能する教育コンテンツデータベース（教育コンテンツＤＢ）４ｄと、動作モードを通常検査モード又は教育モードに切り替える切替部として機能する通常／教育モード切替部４ｅと、教育コンテンツを教示する教育コンテンツ教示部４ｆと、撮像をエミュレートする撮像エミュレート部４ｇと、各種画像を表示する表示部４ｈとを備えている。なお、医用画像診断装置４は、患者等の被検体に対して医用画像を撮影する撮影動作を行う撮影部（図示せず）や、撮影した医用画像や記憶した医用画像等の画像に対して様々な画像処理（例えば画像再構成を含む画像処理）を行う画像処理部等も備えている。
【００１５】
入力部４ａは、操作者により入力操作される操作部であって、検査開始や検査終了、検査予約リストからの検査選択等の各種の入力操作を受け付ける操作部である。この入力部４ａは入力操作に応じた入力信号を登録部４ｂに送信する。入力部４ａとしては、例えば、マウスやキーボード等の入力デバイスを用いる。
【００１６】
登録部４ｂは、情報管理システム３から送信された検査予約リスト（検査予約リスト情報）を検査予約データベース４ｃに格納する登録モジュールである。検査予約リストは、検査予約に関する検査予約情報がリスト化された情報である。さらに、登録部４ｂは、教育予約に関する教育予約情報を検査予約情報として検査予約データベース４ｃ内の検査予約リストに登録し、その登録と共に、教育コンテンツ管理サーバ２から取得した教育コンテンツを教育コンテンツデータベース４ｄに格納する。検査予約情報は例えば検査実施日時や患者情報等を含んでおり、同様に、教育予約情報は例えば教育コンテンツの実施日時やダミーデータとしての患者情報等を含んでいる。また、登録部４ｂは、入力部４ａに対する操作者の入力操作に応じて、通常／教育モード切替部４ｅに対してモード切替要求を送信する。なお、登録部４ｂは、入力部４ａに対する入力操作に応じて新たな検査予約情報を検査予約データベース４ｃ内の検査予約リストに登録する。
【００１７】
検査予約データベース４ｃは、登録部４ｂにより格納される検査予約リストを保管するデータベースである。この検査予約リストには、教育予約情報も検査予約情報として登録される。なお、検査予約リストは必要に応じて（例えば教育予約情報が検査予約リストに登録された場合や新たな検査予約情報が検査予約リストに登録された場合等）情報管理システム３に送信される。情報管理システム３は、その検査予約リストを受信し、受信した検査予約リストに基づいて情報管理システム３内の検査予約リストを更新する。
【００１８】
教育コンテンツデータベース４ｄは、登録部４ｂにより格納される教育コンテンツを保管するデータベースである。この教育コンテンツは、教育コンテンツ管理サーバ２から一緒に取得されて検査予約リストに登録された教育予約情報に関連付けられている。したがって、ある教育予約情報が選択されると、その教育予約情報に関連する教育コンテンツが用いられることになる。
【００１９】
通常／教育モード切替部４ｅは、登録部４ｂからのモード切替要求に応じて、医用画像診断装置４の動作モードを通常モード又は教育モードに切り替える切り替えモジュールである。通常モードは通常の検査を行う通常検査モードであり、教育モードは教育コンテンツに基づく教育を行うモードである。この通常／教育モード切替部４ｅは、動作モードが教育モードである場合だけ、教育コンテンツ教示部４ｆ及び撮像エミュレート部４ｇに対し、選択された教育予約情報に関連する教育コンテンツ用の表示要求を送信する。
【００２０】
教育コンテンツ教示部４ｆは、通常／教育モード切替部４ｅからの表示要求に応じて、教育コンテンツデータベース４ｄから教育コンテンツを取得し、その教育コンテンツに基づいて教育コンテンツ教示画像を表示部４ｈに表示させる教示モジュールである。教育コンテンツ教示画像としては、例えば指示画像やアドバイス画像等が挙げられる。
【００２１】
撮像エミュレート部４ｇは、通常／教育モード切替部４ｅからの表示要求に応じて、教育コンテンツデータベース４ｄから教育コンテンツを取得し、その教育コンテンツに基づいて撮像エミュレート画像を表示部４ｈに表示させるエミュレートモジュールである。撮像エミュレート画像としては、例えば教育用ダミー画像等が挙げられる。
【００２２】
表示部４ｈは、検査予約画像や教育コンテンツ教示画像、撮像エミュレート画像、医用画像等の各種画像を表示する表示装置である。この表示部４ｈとしては、例えば、液晶ディスプレイやＣＲＴ（Cathode Ray Tube）ディスプレイ等を用いる。ここで、例えば、図２に示すような検査予約画像Ｇ１が表示部４ｈにより表示される。検査予約画像Ｇ１には、検査予約リストが表示される第１表示領域Ｒ１、選択された検査予約情報に対応する患者情報が表示される第２表示領域Ｒ２、検索を実行するための検索ボタンＢ１、検査を開始するための検査開始ボタンＢ２及び検査を終了するための検査終了ボタンＢ３等が設けられている。なお、検査予約画像Ｇ１における第１表示領域Ｒ１と第２表示領域Ｒ２には、それぞれ検査予約情報や患者情報等が検査予約データベース４ｃ内の検査予約リストに基づいて表示される。
【００２３】
次に、前述の医用教育システム１が行う医用教育動作（医用教育処理）について説明する。ここでは、図２に示すような検査予約画像Ｇ１が表示部４ｈにより表示される場合を一例として説明する。なお、図２に示す検索ボタンＢ１押下前の検査予約画像Ｇ１の第１表示領域Ｒ１には、検査予約リストは表示されていない。受講者（操作者）Ａは検査予約画像Ｇ１を参照しながら入力部４ａを入力操作する。
【００２４】
図３に示すように、医用画像診断装置４では、入力部４ａが受講者Ａにより操作され、図２に示す検索ボタンＢ１が押下されると、教育コンテンツの取得が要求される（ステップＳ１）。登録部４ｂは、入力部４ａからの教育コンテンツ取得要求に応じて、受講者Ａの教育コンテンツ送信要求を教育コンテンツ管理サーバ２の教育コンテンツ管理部２ａに送信する（ステップＳ２）。このとき、教育コンテンツ送信要求と共に、認証用のチケット情報（例えば受講者Ａの識別番号や装置の識別番号等）が送信される。
【００２５】
教育コンテンツ管理サーバ２では、教育コンテンツ管理部２ａが医用画像診断装置４から教育コンテンツ送信要求及び認証用のチケット情報を受信し、最初に認証用のチケット情報に基づいて認証を行う（ステップＳ３）。その後、アクセスが許可された場合には、教育コンテンツリストから受講者Ａに対応する教育コンテンツを検索し（ステップＳ４）、ヒットした教育コンテンツを医用画像診断装置４の登録部４ｂに送信する（ステップＳ５）。
【００２６】
医用画像診断装置４では、登録部４ｂが教育コンテンツ管理サーバ２から教育コンテンツを受信し、受信した教育コンテンツに基づいて教育予約情報を検査予約情報として検査予約データベース４ｃ内の検査予約リストに登録し（ステップＳ６）、さらに、その教育予約情報に関連付けて教育コンテンツを教育コンテンツデータベース４ｄに登録する（ステップＳ７）。このとき、登録部４ｂは、教育予約情報を登録した検査予約リストを情報管理システム３に送信する。情報管理システム３は、その検査予約リストを受信し、受信した検査予約リストに基づいて情報管理システム３内の検査予約リストを更新する。これにより、情報管理システム３内の検査予約リストと医用画像診断装置４内の検査リストとの整合を取ることができる。
【００２７】
次いで、登録部４ｂは、検査予約データベース４ｃから検査予約リストを取得し（ステップＳ８）、取得した検査予約リストを表示部４ｈに表示する（ステップＳ９）。これにより、図２に示すように、検査予約画像Ｇ１の第１表示領域Ｒ１には、検査予約リストが表示される。なお、教育予約情報が検査予約情報として検査予約リストに登録されているので、図２に示す検査予約リストには、教育予約情報Ｊ１が検査予約情報と共に表示されている。なお、その教育予約情報Ｊ１は検査予約情報として扱われる。
【００２８】
この検査予約画像Ｇ１が受講者Ａにより参照されつつ入力部４ａが操作され、受講する教育コンテンツに対応する教育予約情報が選択され、図２に示す検査開始ボタンＢ２が押下される（ステップＳ１０）。この検査開始ボタンＢ２は教育開始ボタンとしても機能する。これにより、教育ワークフローの開始は検査ワークフローの開始と同じ入力操作により実行される。登録部４ｂは、入力部４ａによる教育コンテンツの選択及び検査開始ボタンＢ２の押下に応じて、通常／教育モード切替部４ｅに対して動作モードを教育モードに切り替える切替要求を送信する（ステップＳ１１）。通常／教育モード切替部４ｅは動作モードを教育モードに切り替え（ステップＳ１２）、教育コンテンツ教示部４ｆ及び撮像エミュレート部４ｇに、選択された教育予約情報に対応する教育コンテンツ用の表示要求を送信する（ステップＳ１３及びステップＳ１４）。これにより、検査開始に伴って動作モードが自動的に教育モードに移行するので、簡便に装置動作の安全性を確保することができる。
【００２９】
詳述すると、登録部４ｂは、選択された検査予約情報が教育予約情報であるか否かを判断し、検査予約情報が教育予約情報であると判断した場合、動作モードを教育モードに切り替る切替要求を通常／教育モード切替部４ｅに送信し、検査予約情報が教育予約情報でないと判断した場合、動作モードを通常モードに切り替える切替要求を通常／教育モード切替部４ｅに送信する。したがって、通常／教育モード切替部４ｅは、検査の開始に応じて、選択された検査予約情報が教育予約情報である場合に動作モードを教育モードに切り替え、選択された検査予約情報が教育予約情報でない場合に動作モードを通常検査モードに切り替える。
【００３０】
教育コンテンツ教示部４ｆは、通常／教育モード切替部４ｅの表示要求に応じて、教育コンテンツデータベース４ｄから、選択された教育予約情報に対応する教育コンテンツを取得し（ステップＳ１５）、取得した教育コンテンツに基づいて教育コンテンツ教示画像を表示部４ｈに表示する（ステップＳ１６）。同じように、撮像エミュレート部４ｇは、通常／教育モード切替部４ｅの表示要求に応じて、教育コンテンツデータベース４ｄから、選択された教育予約情報に対応する教育コンテンツを取得し（ステップＳ１７）、取得した教育コンテンツに基づいて撮像エミュレート画像を表示部４ｈに表示する（ステップＳ１８）。また、登録部４ｂは、入力部４ａによる教育コンテンツの選択及び検査開始ボタンＢ２の押下に応じて、教育コンテンツ管理サーバ２の教育記録管理部２ｂに対して、選択された教育予約情報に対応する教育コンテンツの受講開始を報知する（ステップＳ１９）。
【００３１】
教育コンテンツ管理サーバ２では、教育記録管理部２ｂが医用画像診断装置４から教育コンテンツの受講開始を受信し、受講者Ａが受講した教育コンテンツの受講開始を教育コンテンツリストに登録する（ステップＳ２０）。
【００３２】
その後、教育コンテンツの受講が完了すると、医用画像診断装置４では、入力部４ａが受講者Ａにより操作され、図２に示す検査終了ボタンＢ３が押下される（ステップＳ２１）。この検査終了ボタンＢ３は教育終了ボタンとしても機能する。これにより、教育ワークフローの終了は検査ワークフローの終了と同じ入力操作により実行される。登録部４ｂは、入力部４ａによる検査終了ボタンＢ３の押下に応じて、通常／教育モード切替部４ｅに対して動作モードを通常モードに切り替える切替要求を送信する（ステップＳ２２）。通常／教育モード切替部４ｅは動作モードを通常モードに切り替える（ステップＳ２３）。これにより、検査終了に伴って動作モードが自動的に通常モードに移行するので、簡便に装置動作の安全性を確保することができる。また、登録部４ｂは、入力部４ａによる検査終了ボタンＢ３の押下に応じて、教育コンテンツ管理サーバ２の教育記録管理部２ｂに対して、選択された教育予約情報に対応する教育コンテンツの受講終了を報知する（ステップＳ２４）。なお、この受講終了を報知する際には、受講中に記録した操作ログや加工画像等を教育作業情報として教育コンテンツ管理サーバ２に送信するようにしてもよい。
【００３３】
教育コンテンツ管理サーバ２では、教育記録管理部２ｂが医用画像診断装置４から教育コンテンツの受講終了を受信し、受講者Ａが受講した教育コンテンツの受講終了を教育コンテンツリストに登録する（ステップＳ２５）。これにより、教育実施の記録が残されるので、その教育実施情報を管理及び課金等に用いることができる。また、受講中に記録した操作ログや加工画像等の教育作業情報を受信した場合には、その教育作業情報を保管する。これにより、操作ログや加工画像等の教育作業情報を教育効果判定の資料として用いることができる。
【００３４】
以上説明したように、本発明の実施の形態によれば、検査予約リストに教育予約情報を検査予約情報として登録する登録部４ｂと、教育予約情報が検査予約情報として登録された検査予約リストを表示する表示部４ｈと、表示された検査予約リストから検査予約情報を選択し、選択した検査予約情報に対応する検査を開始するための入力部４ａと、検査の開始に応じて、選択された検査予約情報が教育予約情報である場合に動作モードを教育モードに切り替え、選択された検査予約情報が教育予約情報でない場合に動作モードを通常検査モードに切り替える通常／教育モード切替部４ｅとを設けることから、教育予約情報が登録部４ｂにより検査予約リストに検査予約情報として登録され、教育予約情報は検査予約情報と同じ扱いとなり、その検査予約リストは表示部４ｈにより表示される。操作者は検査を行う場合と同様に検査予約リストを参照して入力部４ａを入力操作し、受講する教育コンテンツに対応する教育予約情報を選択し、その後、検査開始ボタンＢ２を押下して教育コンテンツの受講を開始する。これに応じて動作モードは教育モードに移行し、操作者に対する教育コンテンツの供給が始まることになる。このようにして、操作者は教育コンテンツを通常の予約検査と同じ感覚で簡便に選択開始することができる。その結果、操作者の利便性を向上させることができる。
【００３５】
また、教育予約情報が検査予約情報として登録された検査予約リストを保管する第１保管部として検査予約データベース４ｃを設けることによって、検査リストを用いる場合、検査予約リストを格納している外部装置にアクセスせずに、検査予約データベース４ｃから検査予約リストを読み出して用いることが可能になるので、処理負担を軽減し、検査予約リストを表示するまでの時間を短縮することができる。
【００３６】
さらに、検査予約リスト情報に検査予約情報として登録された教育予約情報に対応する教育コンテンツ（教育単元）を保管する第２保管部として教育コンテンツデータベース４ｄを設けることによって、選択された教育予約情報に対応する教育コンテンツを外部装置（例えば教育コンテンツ管理サーバ２）にアクセスせずに、教育コンテンツデータベース４ｄから読み出して用いることが可能になるので、処理負担を軽減し、教育コンテンツの受講を開始するまでの時間を短縮することができる。
【００３７】
加えて、登録部４ｂは、登録した教育予約情報を検査予約情報として外部装置（例えば情報管理システム３）に送信することによって、その教育予約情報に基づいて外部装置内の検査予約リストを更新することが可能になるので、外部装置内の検査予約リストと医用画像診断装置４内の検査リストとの整合を取ることができる。
【００３８】
（他の実施の形態）
なお、本発明は、前述の実施の形態に限るものではなく、その要旨を逸脱しない範囲において種々変更可能である。
【００３９】
例えば、前述の実施の形態においては、医用教育システム１に医用画像診断装置４を設けているが、これに限るものではなく、医用画像診断装置４に換えて医用教育シミュレータ装置を設けるようにしてもよい。この場合には、医用教育シミュレータ装置は、医用画像診断装置４と同様に、入力部４ａ、登録部４ｂ、検査予約データベース（検査予約ＤＢ）４ｃ、教育コンテンツデータベース（教育コンテンツＤＢ）４ｄ、通常／教育モード切替部４ｅ、教育コンテンツ教示部４ｆ、撮像エミュレート部４ｇ及び表示部４ｈ等を備えている。この医用教育シミュレータ装置が医用画像診断装置４と異なる点は、医用画像診断装置４が備える撮影部（図示せず）等を備えていない点である。
【００４０】
また、前述の実施の形態においては、第１表示領域Ｒ１に図２に示すような検査予約リストを表示しているが、これに限るものではなく、例えば、図４に示すような検査予約リストや図５に示すような検査予約リストを表示するようにしてもよい。図４では、四角に区分された各領域において、上段の数字が日付を示し、下段の左側の数字が午前中の検査予約件数を示し、下段の右側の数字が午後の検査予約件数を示す。さらに、教育予約情報が検査予約情報として検査予約件数に加算されている場合には、その検査予約件数は他の検査予約件数と異なる色で表示される。例えば、通常の検査予約件数が黒色で表示される場合には、その検査予約件数は青色で表示される。図５では、横スクロールが日付を示し、縦スクロールが時間を示す。各日時の検査予約はスクロールにより閲覧可能である。
【００４１】
また、前述の実施の形態においては、検査終了ボタンＢ３の押下を教育終了のタイミングとしているが、これに限るものではなく、例えば、教育コンテンツにおける受講すべき教育操作が全て完了した段階（タイミング）を教育終了のタイミングとしてもよく、さらに、次の教育単元を選択して開始した段階（タイミング）も教育終了（例えば前単元教育完了等）のタイミングとしてもよい。
【００４２】
最後に、前述の実施の形態においては、ハードウェアにより各種の処理を実行しているが、これに限るものではなく、例えば、ソフトウェア及びハードウェアのどちらか一方又は両方により各種の処理を実行するようにしてもよい。
【図面の簡単な説明】
【００４３】
【図１】本発明の実施の一形態に係る医用教育システムの概略構成を示すブロック図である。
【図２】図１に示す医用教育システムが備える医用画像診断装置が表示する検査予約画像を示す模式図である。
【図３】図１に示す医用教育システムが行う医用教育処理の流れを示すフローチャートである。
【図４】図２に示す検査予約画像と異なる他の検査予約画像の一例を示す模式図である。
【図５】図２に示す検査予約画像と異なる他の検査予約画像の一例を示す模式図である。
【符号の説明】
【００４４】
４          医用画像診断装置
４ａ        入力部
４ｂ        登録部
４ｅ        切替部（通常／教育モード切替部）
４ｈ        表示部
【図１】
2009129349.tif 000003
【図２】
2009129349.tif 000004
【図３】
2009129349.tif 000005
【図４】
2009129349.tif 000006
【図５】
2009129349.tif 000007